(57)【要約】【課題】外部の通信端末と通信可能な画像送信装置において、当該装置側の画像データと、通信端末から送信されてきた画像データとを、容易に且つ効率良くまとめて送信できるようにする。【解決手段】複合機３は、入力された画像データを外部（例えば通信回線３ａ）へ送信可能である。複合機３は、所定の通信方式によって外部通信端末（例えばスマートフォン５やＰＣ７）と通信が可能である。複合機３は、自身において送信対象の画像データ及びその宛先の入力が開始された後、所定期間内に、外部通信端末から画像データを受信した場合は、その受信した画像データを自身に入力された画像データに加えて送信用画像データを生成する。複合機３は、生成した送信用画像データを、上記宛先へ送信する。【選択図】図１
2015033004.tif 000002
【特許請求の範囲】
【請求項１】
所定の通信方式によって外部通信端末と通信が可能な通信部と、
画像データを送信可能な画像データ送信部と、
制御部と、
を備えた画像送信装置であって、
前記制御部は、
送信対象の画像データ及びその宛先の入力を受け付ける入力受付処理と、
前記入力受付処理による前記画像データの入力開始後、所定期間、前記外部通信端末からの前記通信部を介した画像データの受信を受け付ける受信受付処理と、
前記受信受付処理により前記外部通信端末から画像データが受信された場合に、その受信された画像データである端末側画像データを、前記入力受付処理で入力された画像データである装置側画像データに加えることにより、送信用画像データを生成する送信用画像データ生成処理と、
前記送信用画像データ生成処理により生成された前記送信用画像データを前記画像データ送信部を介して前記宛先へ送信する送信処理と、
を実行することを特徴とする画像送信装置。
【請求項２】
請求項１に記載の画像送信装置であって、
前記制御部は、
前記受信受付処理により前記外部通信端末から前記端末側画像データが受信された場合、前記装置側画像データと前記端末側画像データとが、共に同一の宛先へ送信すべき同一宛先にあるか否かを判断する同一宛先判断処理を実行し、
前記同一宛先判断処理により前記装置側画像データと前記端末側画像データとが前記同一宛先にあると判断された場合に、前記送信用画像データ生成処理を実行する
ことを特徴とする画像送信装置。
【請求項３】
請求項２に記載の画像送信装置であって、
前記制御部は、前記同一宛先判断処理において、
当該画像送信装置において前記装置側画像データ及び前記宛先の入力操作を行った装置側操作者と、前記外部通信端末で前記端末側画像データの送信操作を行った端末側操作者とが同一又は対応する関係にあるか否かの認証処理を行い、前記認証処理により前記各操作者が同一又は対応する関係にあるとの認証が成功した場合に、前記装置側画像データと前記端末側画像データとが前記同一宛先にあると判断する
ことを特徴とする画像送信装置。
【請求項４】
請求項３に記載の画像送信装置であって、
前記制御部は、前記同一宛先判断処理において、
前記認証処理の結果、前記認証が失敗した場合、更に、
前記端末側画像データを前記装置側画像データに加えて送信すべきか否かを問い合わせる問合処理を実行し、
前記問合処理に対して前記端末側画像データを前記装置側画像データに加えて送信すべき旨の応答があった場合は、前記装置側画像データと前記端末側画像データとが前記同一宛先にあると判断する
ことを特徴とする画像送信装置。
【請求項５】
請求項３又は請求項４に記載の画像送信装置であって、
前記通信部は、所定の遠隔無線通信方式によって前記外部通信端末と通信が可能であり、
更に、前記外部通信端末と前記通信部による通信よりも通信可能範囲の狭い所定の近距離無線通信方式によって無線通信が可能な近距離無線通信部を備え、
前記外部通信端末は、前記近距離無線通信部との前記近距離無線通信方式による無線通信を開始した後に、前記近距離無線通信方式又は前記遠隔無線通信方式によって前記画像データを送信可能に構成されており、
前記制御部は、前記受信受付処理において、前記近距離無線通信部を介した前記外部通信端末との無線通信が行われたか否か判断し、前記無線通信が行われたと判断された場合に、前記通信部又は前記近距離無線通信部を介して前記画像データを受信する
ことを特徴とする画像送信装置。
【請求項６】
請求項２に記載の画像送信装置であって、
前記外部通信端末からは、前記端末側画像データ及びその宛先情報が送信され、
前記制御部は、
前記受信受付処理において、前記端末側画像データ及び前記宛先情報の受信を受け付け、
前記同一宛先判断処理において、
前記入力受付処理により受け付けられた前記装置側画像データの宛先と、前記受信受付処理において前記外部通信端末から受信した前記宛先情報が示す宛先とが一致するか否か判断する宛先一致判断処理を実行し、
前記宛先一致判断処理により一致すると判断された場合に、前記装置側画像データと前記端末側画像データとが前記同一宛先にあると判断する
ことを特徴とする画像送信装置。
【請求項７】
請求項６に記載の画像送信装置であって、
前記制御部は、前記同一宛先判断処理において、
前記宛先一致判断処理により一致すると判断された場合に、更に、前記端末側画像データを前記装置側画像データに加えて送信すべきか否かを問い合わせる問合処理を実行し、
前記問合処理に対して前記端末側画像データを前記装置側画像データに加えて送信すべき旨の応答があった場合に、前記装置側画像データと前記端末側画像データとが前記同一宛先にあると判断する
ことを特徴とする画像送信装置。
【請求項８】
請求項６又は請求項７に記載の画像送信装置であって、
前記通信部は、所定の遠隔無線通信方式または有線通信方式によって前記外部通信端末と通信が可能である
ことを特徴とする画像送信装置。
【請求項９】
請求項１〜請求項８の何れか１項に記載の画像送信装置であって、
前記制御部は、
前記受信受付処理により前記端末側画像データが受信された場合に、前記装置側画像データ及び前記端末側画像データの少なくとも一方に基づいて、これら各画像データを相互にどのように組み合わせて前記送信用画像データを生成すべきか判断する生成方法判断処理を実行し、
前記生成方法判断処理による判断結果に従って、前記送信用画像データ生成処理を実行する
ことを特徴とする画像送信装置。
【請求項１０】
請求項１〜請求項９の何れか１項に記載の画像送信装置であって、
原稿の画像を読み取る画像読取部を備え、
前記制御部は、前記入力受付処理において、前記画像読取部により読み取られた画像の画像データを前記装置側画像データとして受け付ける
ことを特徴とする画像送信装置。
【請求項１１】
請求項１〜請求項１０の何れか１項に記載の画像送信装置であって、
前記画像データ送信部は、送信対象の画像データをファクシミリ通信により送信する
ことを特徴とする画像送信装置。
【請求項１２】
所定の通信方式によって外部通信端末と通信が可能な通信部と、
画像データを送信可能な画像データ送信部と、
を備えた画像送信装置で用いられる画像送信方法であって、
送信対象の画像データ及びその宛先の入力を受け付ける入力受付ステップと、
前記入力受付ステップによる前記画像データの入力開始後、前記外部通信端末からの前記通信部を介した画像データの受信を受け付ける受信受付ステップと、
前記受信受付ステップにより前記外部通信端末から画像データが受信された場合に、その受信された画像データである端末側画像データを、前記入力受付処理で入力された画像データである装置側画像データに加えて、前記画像データ送信部を介して前記宛先へ送信する送信ステップと、
を備えることを特徴とする画像送信方法。
【発明の詳細な説明】
【技術分野】
【０００１】
本発明は、画像データを送信する画像送信装置および画像送信方法に関する。
【背景技術】
【０００２】
ファクシミリ装置あるいはファクシミリ機能を備えた多機能装置などの、画像データを送信する機能を備えた各種の画像送信装置が普及している。このような画像送信装置に対し、当該装置以外の他の通信端末から通信により画像データを取得してその画像データを外部へ送信可能な機能（以下「中継送信機能」ともいう）を搭載することが提案されている（例えば、特許文献１参照。）。
【０００３】
中継送信機能を備えることで、当該装置自身で読み取った原稿の画像データや当該装置内に記憶されている画像データなどを送信できるだけでなく、他の通信端末から取得した画像データも送信できるようになり、利便性を高めることができる。
【先行技術文献】
【特許文献】
【０００４】
【特許文献１】特開２００７−３１２１４２号公報
【発明の概要】
【発明が解決しようとする課題】
【０００５】
中継送信機能を備えた画像送信装置のユーザにおいては、当該画像送信装置で読み取らせた原稿の画像データを送信する際、その画像データだけでなく、他の通信端末が保持している画像データも取得して一緒に送信したいというニーズが生じる可能性がある。
【０００６】
しかし、単に中継送信機能を備えているだけでは、上記ニーズに適切に応えることはできない。上記ニーズへの対応方法として、例えば、通信端末内の画像データを一旦印刷出力して紙の原稿とし、これを装置側の原稿に追加してまとめてファクシミリ送信するという方法が考えられるが、操作が煩雑となり、ユーザの使い勝手を損ねてしまう。
【０００７】
本発明は上記課題に鑑みなされたものであり、外部の通信端末と通信可能な画像送信装置において、当該装置側の画像データと、通信端末から送信されてきた画像データとを、容易に且つ効率良くまとめて送信できるようにすることを目的とする。
【課題を解決するための手段】
【０００８】
上記課題を解決するためになされた本発明の画像送信装置は、通信部と、画像データ送信部と、制御部とを備える。通信部は、所定の通信方式によって外部通信端末と通信が可能である。画像データ送信部は、画像データを送信可能である。
【０００９】
制御部は、入力受付処理と、受信受付処理と、送信用画像データ生成処理と、送信処理とを実行する。入力受付処理は、送信対象の画像データ及びその宛先の入力を受け付ける処理である。受信受付処理は、入力受付処理による画像データの入力開始後、所定期間、外部通信端末からの通信部を介した画像データの受信を受け付ける処理である。送信用画像データ生成処理は、受信受付処理により外部通信端末から画像データが受信された場合に、その受信された画像データ（端末側画像データ）を、入力受付処理で入力された画像データ（装置側画像データ）に加えることにより、送信用画像データを生成する処理である。送信処理は、送信用画像データ生成処理により生成された送信用画像データを画像データ送信部を介して宛先へ送信する処理である。
【００１０】
このように構成された画像送信装置によれば、入力受付処理により装置側画像データ及びその宛先の入力が開始された後、外部通信端末から端末側画像データが受け付けられた場合は、これら両画像データが送信用画像データとしてまとめられて宛先へ送信される。そのため、当該装置側の画像データと、外部通信端末から送信されてきた画像データとを、容易に且つ効率良くまとめて送信することが可能となる。
【００１１】
制御部は、同一宛先判断処理を実行できるようにしてもよい。この同一宛先判断処理は、受信受付処理により外部通信端末から端末側画像データが受信された場合に、装置側画像データと端末側画像データとが、共に同一の宛先へ送信すべき同一宛先にあるか否かを判断する処理である。そして、制御部は、同一宛先判断処理により装置側画像データと端末側画像データとが同一宛先にあると判断した場合に、送信用画像データ生成処理を実行するようにしてもよい。
【００１２】
外部通信端末から端末側画像データが送信されたタイミングや場所等によっては、あるユーザが当該画像送信装置側で装置側画像データを入力する際、他のユーザが外部通信端末から端末側画像データを送信してしまうおそれがある。この場合、双方のユーザの意図に反して、装置側画像データに外部通信端末からの端末側画像データが加えられて送信されてしまうおそれがある。これに対し、各画像データを一まとめにする前に、両者が同一宛先にあるか否かを確認し、同一宛先にある場合に両者をまとめて（送信用画像データとして）送信するようにすることで、上記誤送信を抑止することができる。
【００１３】
制御部による同一宛先判断処理の具体的内容は種々考えられ、例えば、制御部は、同一宛先判断処理として、認証処理を行うようにしてもよい。認証処理は、当該画像送信装置において装置側画像データ及び宛先の入力操作を行った装置側操作者と、外部通信端末で端末側画像データの送信操作を行った端末側操作者とが同一又は対応する関係にあるか否かを確認する処理である。そして、制御部は、認証処理により各操作者が同一又は対応する関係にあるとの認証が成功した場合に、装置側画像データと端末側画像データとが同一宛先にあると判断するようにしてもよい。
【００１４】
このように、相互認証により同一宛先にあるか否かの判断を行うことによって、その判断を容易且つ精度良く行うことができる。
同一宛先判断処理を上記のように相互認証を用いて行う場合、認証に失敗する可能性もある。その場合、制御部は、更に、問合処理を行うようにしてもよい。問合処理は、端末側画像データを装置側画像データに加えて送信すべきか否かを問い合わせる処理である。そして、制御部は、問合処理に対して端末側画像データを装置側画像データに加えて送信すべき旨の応答があった場合は、装置側画像データと端末側画像データとが同一宛先にあると判断するようにしてもよい。
【００１５】
このようにすることで、装置側画像データと端末側画像データが本来同一宛先にあるにもかかわらず何らかの原因で認証に失敗してしまったとしても、これら両画像をまとめて送信することができる。そのため、誤送信の抑制効果を高いレベルで維持しつつ、ユーザの利便性を向上させることができる。
【００１６】
上記のように認証処理を行うよう構成された画像送信装置は、より具体的には、次のように構成されたものであってもよい。即ち、通信部は、所定の遠隔無線通信方式によって外部通信端末と通信が可能である。更に、この通信部とは別に、近距離無線通信部を備える。この近距離無線通信部は、外部通信端末と通信部による通信よりも通信可能範囲の狭い所定の近距離無線通信方式によって無線通信が可能である。一方、外部通信端末は、近距離無線通信部との近距離無線通信方式による無線通信を開始した後に、近距離無線通信方式又は遠隔無線通信方式によって画像データを送信可能に構成されている。
【００１７】
そして、制御部は、受信受付処理において、近距離無線通信部を介した外部通信端末との無線通信が行われたか否か判断し、その無線通信が行われたと判断された場合に、通信部又は近距離無線通信部を介して画像データを受信する。
【００１８】
このように構成された画像送信装置によれば、外部通信端末を当該画像送信装置にかざすという簡単な操作で、外部通信端末内の端末側画像データを当該画像送信装置に送信して装置側画像データと共に送信させることができる。
【００１９】
外部通信端末から、端末側画像データだけでなくその宛先情報も送信されてくる場合は、制御部は、受信受付処理及び同一宛先判断処理を、次のように行うようにしてもよい。即ち、受信受付処理においては、端末側画像データ及び宛先情報の受信を受け付ける。同一宛先判断処理においては、宛先一致判断処理を実行する。この宛先一致判断処理は、入力受付処理により受け付けられた装置側画像データの宛先と、受信受付処理において外部通信端末から受信した宛先情報が示す宛先とが一致するか否か判断する処理である。そして、制御部は、この宛先一致判断処理により一致すると判断された場合に、装置側画像データと端末側画像データとが同一宛先にあると判断する。
【００２０】
このように、当該装置側で入力された宛先と外部端末装置からの宛先情報とを照合することで、同一宛先であるか否かの判断を容易且つ精度良く行うことができる。
制御部は、同一宛先判断処理において、上記宛先一致判断処理により一致すると判断された場合に、更に、問合処理を行うようにしてもよい。この問合処理は、端末側画像データを装置側画像データに加えて送信すべきか否かを例えば当該画像送信装置のユーザ等に問い合わせる処理である。制御部は、この問合処理に対して端末側画像データを装置側画像データに加えて送信すべき旨の応答があった場合に、装置側画像データと端末側画像データとが同一宛先にあると判断するようにしてもよい。
【００２１】
このように、宛先一致判断処理に加えてさらに問合処理まで行うことで、同一宛先であるか否かの判断をより高い精度で行うことができる。
通信部は、所定の遠隔無線通信方式または有線通信方式によって外部通信端末と通信が可能な構成であってもよい。このような構成により、当該画像送信装置から離れた場所にある外部通信端末内の端末側画像データを当該画像送信装置から装置側画像データと共に送信することができる。
【００２２】
制御部は、送信用画像データを生成する方法を判断する生成方法判断処理を実行して、その判断結果に従って、送信用画像データ生成処理を実行するようにしてもよい。生成方法判断処理は、受信受付処理により端末側画像データが受信された場合に、装置側画像データ及び端末側画像データの少なくとも一方に基づいて、これら各画像データを相互にどのように組み合わせて送信用画像データを生成すべきか判断する処理である。
【００２３】
このように生成方法判断処理を行うことで、装置側画像データと端末側画像データとを適切に組み合わせて１つの送信用画像データを生成することができる。
当該画像送信装置は、原稿の画像を読み取る画像読取部を備えたものであってもよい。その場合、制御部は、入力受付処理において、画像読取部により読み取られた画像の画像データを装置側画像データとして受け付けるようにしてもよい。
【００２４】
上記構成の画像送信装置によれば、ユーザは、所望の原稿を装置側画像データとして読み取らせ、さらに外部通信端末からの端末側画像データを加えて、まとめて送信させることができる。そのため、ユーザの利便性、使い勝手をより向上させることができる。
【００２５】
画像データ送信部は、送信対象の画像データをファクシミリ通信により送信可能な構成であってもよい。このような構成であれば、装置側画像データに外部通信端末からの端末側画像データを加えてまとめてファクシミリ送信することができる。そのため、利便性の高いファクシミリ機能を提供することが可能となる。
【図面の簡単な説明】
【００２６】
【図１】実施形態の画像送信システム全体の概略構成を表す説明図である。
【図２】（ａ）は複合機のブロック図、（ｂ）はスマートフォンのブロック図、（ｃ）はＰＣのブロック図である。
【図３】複合機が実行するファクシミリ送信処理を表すフローチャートである。
【図４】図３のＳ２３の外部原稿追加指示確認処理の詳細を表すフローチャート、及びスマートフォンが実行する原稿送信処理を表すフローチャートである。
【図５】ＰＣが実行する原稿送信処理を表すフローチャートである。
【図６】図３のＳ２５の外部原稿追加意志確認処理の詳細を表すフローチャートである。
【図７】図３のＳ２９の複合機原稿合成処理の詳細を表すフローチャートである。
【発明を実施するための形態】
【００２７】
以下に、本発明の好適な実施形態を図面に基づいて説明する。なお、本発明は、下記の実施形態に示された具体的手段や構造等に限定されるものではなく、本発明の要旨を逸脱しない範囲において種々の形態を採り得る。例えば、下記の実施形態の構成の一部を、同様の機能を有する公知の構成に置き換えたり、他の実施形態の構成に対して付加、置換等したり、課題を解決できる限りにおいて省略したりしてもよい。また、下記の複数の実施形態を適宜組み合わせて構成してもよい。
【００２８】
（１）画像送信システム１の全体構成
図１に示すように、本実施形態の画像送信システム１は、複合機３と、スマートフォン５と、パーソナルコンピュータ（以下「ＰＣ」という）７と、アクセスポイント（以下「ＡＰ」という）９と、を備えている。
【００２９】
複合機３は、プリンタ機能、スキャン機能、コピー機能、ファクシミリ機能などの複数の機能を有する多機能周辺装置である。複合機３は、通信回線３ａを介して外部のファクシミリ装置等の通信装置との間でファクシミリ通信が可能である。さらに、複合機３は、無線ＬＡＮ及びＮＦＣ（Near Field Communication；近距離無線通信）の２種類の無線通信方式による無線通信機能を備えている。
【００３０】
無線ＬＡＮは、例えばＩＥＥＥ８０２．１１ａ／ｂ／ｇ／ｎの規格で定められる通信方式等であり、２．４ＧＨｚ帯又は５ＧＨｚ帯の周波数帯域の電波が用いられる。ＮＦＣは、通信可能距離が無線ＬＡＮよりも狭い範囲（約１０ｃｍ程度）に限定された近距離無線通信であり、例えば１３．５６ＭＨｚの周波数帯域の電波が用いられる。複合機３は、ＡＰ９を介してスマートフォン５やＰＣ７と無線ＬＡＮによる通信（以下「無線ＬＡＮ通信」という）を行ったり、ＡＰ９を介してインターネット接続したりすることができる。
【００３１】
複合機３は、スマートフォン５との間で、ＮＦＣによる無線通信（以下「ＮＦＣ通信」という）が可能である。両者間のＮＦＣ通信は、スマートフォン５の使用者がスマートフォン５を複合機３の所定の近接部位に近接させる（かざす）ことで実現される。
【００３２】
具体的には、複合機３には、機器内部における上部側に、ＮＦＣ通信におけるＲＦ信号の送受信を担うＮＦＣ通信部１８が搭載されている。このＮＦＣ通信部１８には、ＮＦＣ通信用のアンテナが設けられている。このアンテナの上部が上記の近接部位であり、スマートフォン５がこの近接部位（アンテナの上部）にかざされると、複合機３とスマートフォン５とのＮＦＣ通信が可能となり、所定の通信手順で無線通信が行われる。
【００３３】
スマートフォン５は、携帯電話やメール機能などの一般的な携帯電話が備えている機能に加えて、インターネット接続機能を備え、さらに各種アプリケーションソフトのインストールにより各種の機能を付加可能な、多機能携帯通信端末である。
【００３４】
スマートフォン５は、無線ＬＡＮ通信及びＮＦＣ通信が可能である。そのため、スマートフォン５は、複合機３との間でＮＦＣ通信により相互にデータ通信が可能である。また、スマートフォン５は、ＡＰ９を介して他の通信機器と無線ＬＡＮ通信が可能である。
【００３５】
スマートフォン５は、アプリケーションソフトとして、例えば、文書作成ソフト、画像編集ソフトなどを備えている。文書作成ソフトで作成した文書や、画像編集ソフトで編集した画像、受信メールに添付されていた文書や画像などは、無線ＬＡＮ通信にて複合機３やＰＣ７等の他の機器へ送信することができる。
【００３６】
スマートフォン５から各種文書や画像等の各種画像データを複合機３へ送信することで、それら画像データを複合機３で印刷出力させたり、複合機３で読み取られた原稿の画像データと共に１つの画像データとしてファクシミリ送信することもできる。
【００３７】
ＰＣ７は、ＡＰ９との間で無線ＬＡＮ通信が可能であり、ひいては、ＡＰ９を介して複合機３やスマートフォン５との間で無線ＬＡＮ通信が可能である。そのため、ＰＣ７は、ＡＰ９を介した無線ＬＡＮ通信により複合機３やスマートフォン５との間で画像データを含む各種のデータを送受信することができる。
【００３８】
ＰＣ７には、ＯＳやデバイスドライバ、各種アプリケーションソフトがインストールされている。アプリケーションソフトの中には、複合機３に対して原稿の画像読み取り（スキャン）を指示したり複合機３で読み取られた画像データを受信して各種処理を行ったりすることが可能なソフトや、複合機３のプリンタ機能にて印刷出力させるための画像データを作成するソフト、ＰＣ７で作成、編集等した画像データを複合機３からファクシミリ送信させるためのソフト（以下「ＰＣＦＡＸ」ともいう）などが含まれている。
【００３９】
ＰＣ７で作成した画像データをＰＣＦＡＸにて複合機３からファクシミリ送信させる際は、送信対象の画像データを無線ＬＡＮ通信にて複合機３へ送信する必要がある。ＰＣ７から複合機３へ送信した画像データは、単独でファクシミリ送信することができるほか、上記スマートフォン５からの画像データと同様、複合機３で読み取られた原稿の画像データと共に１つのファクシミリ送信用の画像データとしてファクシミリ送信することもできる。そのため、以下の説明では、スマートフォン５やＰＣ７から複合機３へ送信される各種画像データのうち、特にファクシミリ機能によるファクシミリ送信を目的とする画像データを、「原稿データ」又は単に「原稿」とも称する。
【００４０】
ＡＰ９は、無線ＬＡＮのデータ中継機能を担う無線中継装置である。複合機３、スマートフォン５及びＰＣ７は、ＡＰ９を介して相互に無線ＬＡＮ通信可能である。
（２）複合機３の構成
複合機３は、より具体的には、図２（ａ）に示すように、ＣＰＵ１１、ＲＯＭ１２、ＲＡＭ１３、ＮＶＲＡＭ１４、表示部１５、入力部１６、無線ＬＡＮ通信部１７、ＮＦＣ通信部１８、通信回線接続部１９、印刷部２０、スキャナ部２１などを備えている。
【００４１】
ＣＰＵ１１は、ＲＯＭ１２やＮＶＲＡＭ１４に記憶されている各種プログラムに従って複合機３内の各部の制御を実行する。ＲＡＭ１３は、各種の情報を記憶するワークエリアや画像データを記憶するメインメモリ等として利用される。ＮＶＲＡＭ（Non Volatile RAM）１４は、記憶内容を電気的に書き換え可能な不揮発性メモリであり、ファームウェアや各種設定値、各種プログラム、各種データ等が記憶される。なお、ＲＯＭ１２又はＮＶＲＡＭ１４に記憶されている各種プログラムの１つとして、後述するファクシミリ送信処理プログラム（図３参照）がある。
【００４２】
表示部１５は、液晶ディスプレイやＬＥＤなどの各種の表示装置を備えている。入力部１６は、タッチパネルや各種操作ボタン等を備え、使用者による操作入力を受け付ける。印刷部２０は、印刷用紙等の被記録媒体に画像を形成（印刷）する。スキャナ部２１は、イメージセンサを備え、原稿の画像を読み取ってその画像データを生成する。
【００４３】
スキャナ部２１で読み取られた原稿の画像データは、通信回線接続部１９を介してファクシミリ送信することができる。その際、ユーザは、入力部１６を介して宛先のダイヤル番号を入力したり、予め登録されている宛先（ダイヤル番号）を指定したりすることで、宛先を入力することができる。
【００４４】
無線ＬＡＮ通信部１７は、無線ＬＡＮ通信の信号処理（いわゆるＲＦ信号の処理）を担う通信モジュールである。ＮＦＣ通信部１８は、ＮＦＣ通信の信号処理（ＲＦ信号の処理）を担う通信モジュールである。通信回線接続部１９は、通信回線３ａを介して外部通信機器と通信を行うための回線インタフェースである。複合機３においては、通信回線接続部１９を介して、各種の原稿をファクシミリ通信により送信又は受信することができる。
【００４５】
（３）スマートフォン５の構成
スマートフォン５は、図２（ｂ）に示すように、ＣＰＵ３１、ＲＯＭ３２、ＲＡＭ３３、フラッシュメモリ３４、表示部３５、入力部３６、無線ＬＡＮ通信部３７、ＮＦＣ通信部３８、携帯通信回線接続部３９、メモリカードインタフェース（以下「メモリカードＩ／Ｆ」という）４０、及び音声入出力部４１などを備えている。
【００４６】
ＣＰＵ３１は、ＲＯＭ３２やフラッシュメモリ３４，メモリカードＩ／Ｆ４０に装着されたメモリカード等に記憶されている各種プログラムやデータ等に基づいて各種処理を行う。ＲＡＭ３３は、各種の情報を記憶するワークエリアやメインメモリ等として利用される。フラッシュメモリ３４は、記憶内容を書き換え可能な不揮発性のメモリであり、既述の文書作成ソフト、画像編集ソフト等のプログラムや、後述する原稿送信処理（図４）のプログラムを含む、各種プログラム、データ等が記憶されている。
【００４７】
表示部３５は、液晶ディスプレイやＬＥＤなどの各種の表示装置を備え、各種画面、情報等を表示可能である。入力部３６は、スマートフォン５の筺体に設けられたハードキーやタッチパネルを有する。ユーザは、入力部３６への操作を介して、各種設定情報や指示等を入力することができる。
【００４８】
携帯通信回線接続部３９は、スマートフォン５を携帯通信回線に接続するための周知のインタフェースである。メモリカードＩ／Ｆ４０は、不揮発性のメモリカードが装着されるインタフェースであって、メモリカードに対するデータの書き込み又は読み出しを制御する。音声入出力部４１は、マイクやスピーカなどで構成された音声入出力用デバイスである。
【００４９】
無線ＬＡＮ通信部３７は、スマートフォン５と他の機器とを無線ＬＡＮ接続する回路であり、基本的な機能は、複合機３の無線ＬＡＮ通信部１７と同じである。ＮＦＣ通信部３８は、スマートフォン５と複合機３とをＮＦＣ接続する回路であり、基本的な機能は、複合機３のＮＦＣ通信部１８と同じである。
【００５０】
ＮＦＣ通信が可能な範囲はごく近距離（例えば約１０ｃｍ以内）である。ユーザがスマートフォン５を複合機３に近づけて、スマートフォン５のＮＦＣ通信部３８のアンテナと複合機３のＮＦＣ通信部１８のアンテナとの距離が上記通信可能範囲内になると（つまりスマートフォン５が複合機３にかざされると）、両者間でＮＦＣ通信が開始される。
【００５１】
なお、本明細書において、スマートフォン５と複合機３の両者の位置関係について「近づける」あるいは「かざす」などというときは、特に断りのない限り、両者をＮＦＣ通信が可能な状態となるように近接させることを意味するものとする。
【００５２】
（４）ＰＣ７の構成
ＰＣ７は、図２（ｃ）に示すように、ＣＰＵ５１、ＲＯＭ５２、ＲＡＭ５３、ＨＤＤ（ハードディスクドライブ）５４、表示部５５、入力部５６、無線ＬＡＮ通信部５７、有線ＬＡＮ通信部５８、及びＵＳＢインタフェース（ＵＳＢＩ／Ｆ）５９などを備えている。
【００５３】
表示部５５は、液晶ディスプレイなどの表示デバイスが含まれる。入力部５６は、ユーザにより操作される周知のキーボードやマウス、あるいはタッチパネルなどが含まれる。
ＨＤＤ５４には、ＯＳやデバイスドライバ、各種アプリケーションソフトなどがインストールされている。各種アプリケーションソフトの中には、既述の通り、ＰＣＦＡＸが含まれている。さらに、そのＰＣＦＡＸを実現するための各種プログラムの中には、後述する原稿送信処理（図５）が含まれている。
【００５４】
無線ＬＡＮ通信部５７は、ＰＣ７と他の機器とを無線ＬＡＮ接続する回路であり、基本的な機能は、複合機３の無線ＬＡＮ通信部１７と同じである。有線ＬＡＮ通信部５８は、ＰＣ７と他の機器とを有線ＬＡＮ接続するための通信インタフェースである。ＵＳＢＩ／Ｆ５９は、ＰＣ７と他の機器とをＵＳＢ接続するための通信インタフェースである。
【００５５】
（５）画像送信システム１の特徴
画像送信システム１が備える最も特徴的な機能の１つとして、既述のように、複合機３からのファクシミリ送信の際に、複合機３で読み取った原稿にスマートフォン５又はＰＣ７から送信されてきた原稿を加えて一緒に送信できる機能がある。
【００５６】
（５−１）スマートフォン５の原稿を一緒に送信する際の動作の概要
例えば紙の原稿を複合機３で読み取らせ、その原稿にスマートフォン５内の原稿を加えて１つの送信原稿としてファクシミリ送信させたい場合、ユーザは、次のようにしてそのファクシミリ送信を実現することができる。即ち、ユーザは、まず、複合機３においてファクシミリ送信を行うための所定の操作を行い、送信宛先を入力（例えばダイヤル操作）する。更に、スキャナ部２１による、送信対象の原稿の読み取りを開始させる。
【００５７】
読み取り開始後、所定期間（本実施形態では原稿読み取りが完了するまでの間）が経過するまでの間に、ユーザがスマートフォン５において所定の原稿送信要求操作を行ってそのスマートフォン５を複合機３へかざすと、スマートフォン５と複合機３との間でＮＦＣ通信が開始される。このＮＦＣ通信を契機として、さらに、スマートフォン５と複合機３との間で無線ＬＡＮ通信が確立される。
【００５８】
両者間の無線ＬＡＮ通信が確立すると、スマートフォン５内の所望の原稿が、無線ＬＡＮ通信にて複合機３へ送信される。複合機３は、スマートフォン５から無線ＬＡＮ通信にて原稿を受信すると、自身で読み取った原稿にスマートフォン５からの原稿を加え、まとめて１つの送信原稿（送信用の画像データ）として上記宛先へファクシミリ送信する。
【００５９】
なお、スマートフォン５は、複合機３へファクシミリ送信用の原稿を送信する際、所定の認証情報も送信する。認証情報としては、例えば、スマートフォン５内に予め登録されているユーザＩＤや、スマートフォン５固有の端末情報などがある。
【００６０】
複合機３は、スマートフォン５との間でユーザ認証を行う認証機能を備えている。具体的には、複合機３は、スマートフォン５、ＰＣ７等の外部通信端末の認証情報又はその認証情報に紐付けられた（対応した）所定の情報を予め登録可能である。複合機３は、外部通信端末から原稿を受信した場合に、その外部通信端末の認証情報又はそれに紐付けられた情報が登録されている場合は、認証成功として、受信した原稿を複合機３の原稿に加えて一緒にファクシミリ送信することを許可する。認証に成功するということは、外部通信端末から原稿を送信したユーザと複合機３で原稿の入力（具体的には読み取り指示・操作）を行ったユーザとが一致又は対応する関係にあるということである。
【００６１】
ただし本実施形態では、認証が失敗しても、ユーザに対してスマートフォン５からの原稿を追加してもよいか否かをあらためて問合せ、追加してもよい旨の応答があった場合は、複合機３の原稿と一緒にファクシミリ送信することを許可するようにしている。
【００６２】
（５−２）ＰＣ７の原稿を一緒に送信する際の動作の概要
例えば紙の原稿を複合機３で読み取らせ、その原稿にＰＣ７内の原稿を加えて１つの送信原稿としてファクシミリ送信させたい場合、ユーザは、次のようにしてそのファクシミリ送信を実現することができる。即ち、ユーザは、まず、複合機３においてファクシミリ送信を行うための所定の操作を行い、送信宛先を入力（例えばダイヤル操作）する。更に、スキャナ部２１による、送信対象の原稿の読み取りを開始させる。
【００６３】
読み取り開始後、所定期間が経過するまでの間に、ユーザは、ＰＣ７からＰＣＦＡＸにて原稿を送信する。ＰＣＦＡＸでは、ユーザは、ＰＣ７において宛先の入力も行う。そのため、ＰＣ７からは、原稿のデータに加えて、宛先情報も送信される。
【００６４】
複合機３は、ＰＣ７から無線ＬＡＮ通信にて原稿及び宛先情報を受信すると、複合機３で入力された宛先とＰＣ７からの宛先情報が示す宛先とが一致するかどうか判断する。そして、両宛先が一致した場合、自身で読み取った原稿とＰＣ７からの原稿を１つの送信原稿（送信用画像データ）としてまとめ、上記宛先へファクシミリ送信する。
【００６５】
なお、実際には、複合機３で入力された宛先とＰＣ７から送信されてきた宛先とが一致した場合、更に、ＰＣ７からの原稿を追加すべきかどうかをユーザに問い合わせる処理を実行するのであるが、その処理については後で詳述する。
【００６６】
（５−３）複合機３、スマートフォン５、及びＰＣ７の各種処理の説明
上述した機能を実現するために複合機３、スマートフォン５、及びＰＣ７のそれぞれにおいて実行される処理について、具体的に説明する。まず、複合機３で実行されるファクシミリ送信処理について、図３を用いて説明する。複合機３のＣＰＵ１１は、ユーザによりファクシミリ送信を行うための所定の操作（例えば、ＦＡＸモードボタン（不図示）押下）がなされると、ＮＶＲＡＭ１４から図３のファクシミリ送信処理のプログラムを読み込んで実行する。
【００６７】
複合機３のＣＰＵ１１は、図３のファクシミリ送信処理を開始すると、Ｓ１１で、ユーザによる宛先の入力操作を受け付ける。Ｓ１３では、Ｓ１１で入力された宛先を変数『複合機の宛先』として保存する。Ｓ１５では、ユーザによる原稿の読み取り開始指示の操作を受け付ける。Ｓ１７では、変数『追加データ』を「なし」に設定する。
【００６８】
Ｓ１９では、原稿の読み取りを開始する。ここでは、１ページ（１枚）の原稿の読み取りを行う。つまり、送信対象の原稿の入力を受け付ける。Ｓ２１では、Ｓ１９で読み取った原稿（画像データ）を、変数『複合機の原稿』として保存する。Ｓ２３では、外部原稿追加指示確認処理を実行する。
【００６９】
Ｓ２３の外部原稿追加指示確認処理の詳細は図４の右側に示す通りである。複合機３のＣＰＵ１１は、図４の外部原稿追加指示確認処理に移行すると、Ｓ１１０で、外部通信端末との近距離無線通信（ＮＦＣ通信）が確立したか否か判断する。以下の説明では、近距離無線通信対象の外部通信端末はスマートフォン５であるものとする。
【００７０】
スマートフォン５が複合機３にかざされることにより両者間でＮＦＣ通信が確立すると、Ｓ１２０で、変数『距離』を「近距離」に設定する。Ｓ１３０では、スマートフォン５からＮＦＣ通信にて、無線ＬＡＮ設定情報を受信する。Ｓ１４０では、Ｓ１３０で受信した無線ＬＡＮ設定情報に基づき、スマートフォン５と無線ＬＡＮ通信を行うために必要な各種の無線ＬＡＮ設定を行う。
【００７１】
Ｓ１５０では、スマートフォン５との無線ＬＡＮ通信が確立するまで待機し、確立したら、Ｓ１６０に進む。Ｓ１６０では、外部通信端末（スマートフォン５）から原稿及び認証情報を無線ＬＡＮ通信にて受信する。Ｓ１７０では、当該複合機３に認証機能があるか否か判断する。複合機３が認証機能を備えていない場合は、Ｓ２２０に進む。複合機３が認証機能を備えている場合は、Ｓ１８０で、受信した外部通信端末の認証情報を変数『端末側認証情報』として記憶し、Ｓ２２０に進む。Ｓ２２０では、外部通信端末から受信した原稿を変数『端末側原稿』として保存する。Ｓ２３０では、変数『追加データ』を「あり」に設定して、Ｓ２５（図３）に進む。
【００７２】
Ｓ１１０で、近距離無線通信（ＮＦＣ通信）が確立しない場合は、Ｓ１９０で、近距離無線通信（ＮＦＣ通信）以外の他の通信による原稿送信指示を受信したか否か判断する。なお、以下の説明では、説明の簡素化のため、近距離無線通信（ＮＦＣ通信）以外の他の通信は無線ＬＡＮであってその通信対象の外部通信端末はＰＣ７であるものとする。
【００７３】
Ｓ１９０で、近距離無線通信以外の他の通信による原稿送信指示がなかった場合は、Ｓ２５（図３）に進む。Ｓ１９０で、近距離無線通信以外の他の通信による原稿送信指示（ＰＣ７からの無線ＬＡＮ通信による原稿送信指示。具体的には、原稿及び宛先情報の送信。）があった場合は、Ｓ２００で、変数『距離』を「遠距離」に設定し、Ｓ２１０で、ＰＣ７から受信した宛先情報を変数『端末側宛先』として保存して、Ｓ２２０に進む。
【００７４】
ここで、スマートフォン５のＣＰＵ３１が実行する原稿送信処理について、図４を用いて説明する。スマートフォン５のＣＰＵ３１は、ユーザによりファクシミリソフトが起動されて所定の原稿送信要求操作がなされると、図４の左側に示す原稿送信処理を実行する。
【００７５】
スマートフォン５のＣＰＵ３１は、図４の原稿送信処理を開始すると、Ｓ６１０で、ユーザによる、複合機３からファクシミリ送信させるべき所望の原稿の選択操作を受け付ける。Ｓ６２０では、複合機３との近距離無線通信（ＮＦＣ通信）が確立するまで待機し、確立したら、Ｓ６３０に進む。
【００７６】
Ｓ６３０では、複合機３へ、ＮＦＣ通信にて、無線ＬＡＮ設定情報を送信する。ここで送信する無線ＬＡＮ設定情報が、複合機３において、図４のＳ１３０の処理で受信される。Ｓ６４０では、Ｓ６３０で送信した無線ＬＡＮ設定情報に基づき、複合機３と無線ＬＡＮ通信を行うために必要な各種の無線ＬＡＮ設定を行う。
【００７７】
Ｓ６５０では、複合機３との無線ＬＡＮ通信が確立するまで待機し、確立したら、Ｓ６６０に進む。Ｓ６６０では、複合機３へ、無線ＬＡＮ通信にて、原稿及び認証情報を送信する。ここで送信する原稿及び認証情報が、複合機３において、図４のＳ１６０の処理で受信される。
【００７８】
続いて、ＰＣ７のＣＰＵ５１が実行する原稿送信処理について、図５を用いて説明する。ＰＣ７のＣＰＵ５１は、ユーザによる所定の原稿送信要求操作がなされると、図５に示す原稿送信処理を実行する。
【００７９】
ＰＣ７のＣＰＵ５１は、図５の原稿送信処理を開始すると、Ｓ７１０で、ユーザによる、複合機３からファクシミリ送信させるべき所望の原稿の選択操作を受け付ける。Ｓ７２０では、ユーザによる、複合機３からのファクシミリ送信の宛先入力操作を受け付ける。Ｓ７３０では、複合機３へ、無線ＬＡＮ通信にて、原稿送信指示を送信する。具体的には、Ｓ７１０で選択された原稿及びＳ７２０で入力された宛先を示す宛先情報を、原稿送信指示として（或いは原稿送信指示と共に）複合機３へ送信する。Ｓ７３０で送信する原稿送信指示が、複合機３において、図４のＳ１９０の処理で受信判断される。
【００８０】
図３に戻り、複合機３のファクシミリ送信処理の説明を続ける。複合機３のＣＰＵ１１は、Ｓ２３の外部原稿追加指示確認処理（詳細は図４）を終了すると、Ｓ２５で、外部原稿追加意志確認処理を実行する。Ｓ２５の外部原稿追加意志確認処理の詳細は、図６に示す通りである。
【００８１】
複合機３のＣＰＵ１１は、図６の外部原稿追加意志確認処理に移行すると、Ｓ３１０で、変数『追加データ』の設定状態を判断する。変数『追加データ』が「なし」に設定されている場合は、図６の外部原稿追加意志確認処理を終了して、Ｓ２７（図３）に進む。変数『追加データ』が「あり」に設定されている場合は、Ｓ３２０に進む。
【００８２】
Ｓ３２０では、変数『距離』の設定状態を判断する。変数『距離』が「遠距離」に設定されている場合は、Ｓ４１０で、変数『複合機の宛先』と変数『端末側宛先』が一致するか否か判断する。即ち、複合機３で入力された宛先と、ＰＣ７から送信されてきた宛先情報が示す宛先とが一致するか否か判断する。Ｓ４１０で、両変数が一致した場合（即ち上記各宛先が一致した場合）は、Ｓ３６０に進む。両変数が一致しなかった場合は、Ｓ４２０で、変数『追加データ』を「なし」に設定して、Ｓ２７（図３）に進む。
【００８３】
Ｓ３２０で変数『距離』が「近距離」に設定されている場合は、Ｓ３３０で、複合機３に認証機能があるか否か判断する。複合機３に認証機能がある場合は、Ｓ３４０で、認証処理を実行し、認証が成功したか否か判断する。具体的には、スマートフォン５から受信した認証情報と複合機３に登録されている認証情報との照合を行い、スマートフォン５から受信した認証情報が複合機３に登録（紐付けも含む）されているか否か判断する。認証に成功した場合、即ちスマートフォン５から受信した認証情報が複合機３に登録されている場合は、Ｓ３５０で変数『追加データ』を「あり」に設定し、Ｓ２７（図３）に進む。
【００８４】
Ｓ３４０で、認証に失敗した場合、即ちスマートフォン５から受信した認証情報が複合機３に登録されていない場合は、Ｓ３６０に進む。また、Ｓ３３０で、複合機３に認証機能がないと判断した場合も、Ｓ３６０に進む。Ｓ３６０では、外部通信端末から送信されてきた原稿の追加意志をユーザに確認するための画面を表示する。具体的には、例えば「この原稿を追加しますか？」というメッセージを表示部１５に表示させる。
【００８５】
Ｓ３７０では、Ｓ３６０で表示させた確認画面に対して、ユーザによる、原稿を追加する旨の入力があったか否か判断する。原稿を追加する旨の入力があった場合は、Ｓ３５０で、変数『追加データ』を「あり」に設定して、Ｓ２７（図３）に進む。原稿を追加する旨の入力がなかった場合は、Ｓ３８０で、ユーザによる、原稿を追加しない旨の入力があったか否か判断する。原稿を追加しない旨の入力があった場合は、Ｓ４２０で、変数『追加データ』を「なし」に設定して、Ｓ２７（図３）に進む。原稿を追加しない旨の入力がなかった場合は、Ｓ３９０で、タイムアウトしたか否か判断する。具体的には、Ｓ３６０による確認画面の表示後、原稿を追加する旨のユーザ入力及び原稿を追加しない旨のユーザ入力のいずれもなされない状態が所定時間継続したか否か判断する。
【００８６】
Ｓ３９０で、タイムアウトしていない場合は、Ｓ３７０に戻る。Ｓ３９０で、タイムアウトした場合は、Ｓ４００で、変数『距離』の設定状態を判断する。変数『距離』が「近距離」に設定されている場合は、Ｓ４２０で、変数『追加データ』を「なし」に設定して、Ｓ２７（図３）に進む。変数『距離』が「遠距離」に設定されている場合は、Ｓ３５０で、変数『追加データ』を「あり」に設定して、Ｓ２７（図３）に進む。
【００８７】
図３に戻ってファクシミリ送信処理の説明を続ける。複合機３のＣＰＵ１１は、Ｓ２５の外部原稿追加意志確認処理（詳細は図６）を終了すると、Ｓ２７で、読み取り対象の原稿として次のページがあるか否か判断する。読み取るべき次のページがある場合は、Ｓ１９に戻る。次のページがない場合、つまり複合機３において送信対象の原稿の読み取りが完了した場合は、Ｓ２９で、複合機原稿合成処理を実行する。Ｓ２９の複合機原稿合成処理の詳細は、図７に示す通りである。
【００８８】
複合機３のＣＰＵ１１は、図７の複合機原稿合成処理に移行すると、Ｓ５１０で、変数『追加データ』の設定状態を判断する。変数『追加データ』が「なし」に設定されている場合は、Ｓ３１（図３）に進む。変数『追加データ』が「あり」に設定されている場合は、Ｓ５２０で、変数『端末側原稿』の内容を解析する。具体的には、変数『端末側原稿』の内容（つまり外部通信端末から送信されてきた原稿）の中に、先頭ページを示す所定の印が含まれているか否かを解析する。
【００８９】
Ｓ５３０では、Ｓ５２０での解析結果に基づき、変数『端末側原稿』に先頭ページを示す印が含まれているか否か判断する。先頭ページを示す印が含まれている場合は、Ｓ５４０で、変数『端末側原稿』を変数『複合機の原稿』の前に挿入する。つまり、複合機３で読み取った原稿の前（前のページ）に外部通信端末から受信した原稿を挿入することで、両者を１つの送信用原稿としてまとめる。変数『端末側原稿』に先頭ページを示す印が含まれていない場合は、Ｓ５５０で、変数『端末側原稿』を変数『複合機の原稿』の後ろに挿入する。つまり、複合機３で読み取った原稿の後ろ（後ろのページ）に外部通信端末から受信した原稿を挿入することで、両者を１つの送信用原稿としてまとめる。
【００９０】
複合機３のＣＰＵ１１は、この図７の複合機原稿合成処理を終えると、Ｓ３１（図３）で、ファクシミリ送信を実行する。即ち、図７のＳ５４０又はＳ５５０の何れかで生成された送信用原稿をファクシミリ送信する。なお、図７のＳ５１０で変数『追加データ』が「なし」と判断された場合は、複合機３で読み取った原稿のみ送信し、外部通信端末から受信した原稿についてはファクシミリ送信を無効とするか若しくは複合機３で読み取った原稿とは別に送信する。
【００９１】
（６）実施形態の効果等
以上説明した本実施形態の画像送信システム１によれば、複合機３で読み取った原稿と、外部通信端末内の原稿を、複合機３で容易に且つ効率良くまとめてファクシミリ送信することができる。そのため、ユーザの利便性、使い勝手の良い複合機３（特にファクシミリ機能）を提供することができる。
【００９２】
また、外部通信端末から原稿（画像データ）を受信した場合、その受信した原稿を複合機３で読み取った原稿に追加・挿入してまとめて送信すべきかどうかを判断して、まとめて送信すべき場合（即ち同一宛先にある場合）にまとめて送信するようにしている。そのため、例えば複合機３のユーザがある原稿を読み取らせてファクシミリ送信しようとしているときに、別のユーザが複合機３へ原稿を送信してそれが追加されて送信されてしまうといった、誤送信を抑止することができる。
【００９３】
誤送信を抑止するための具体的方法（同一宛先にあるか否かの具体的判断方法）として、スマートフォン５から原稿を送信する場合は、スマートフォン５から受信した認証情報に基づく認証処理を行い、認証が成功した場合にスマートフォン５からの原稿を複合機３の原稿に追加するようにしている。そのため、スマートフォン５からの原稿の宛先が複合機３の原稿の宛先と同じであるか否かの判断、ひいては両原稿をまとめて一緒にファクシミリ送信してもよいか否かの判断を、容易且つ精度良く行うことができる。
【００９４】
しかも、仮に認証に失敗したとしても、ユーザに対してあらためて原稿追加の可否の意思確認が行われ、スマートフォン５からの原稿を追加すべき旨の意思表示があった場合は、その原稿を複合機３の原稿と一緒にまとめてファクシミリ送信する。そのため、誤送信の抑制効果を高いレベルで維持しつつ、ユーザの利便性を向上させることができる。
【００９５】
一方、ＰＣ７から原稿を送信する場合は、誤送信抑止方法として、宛先の照合を行うようにしている。即ち、ＰＣ７から送信されてきた宛先情報が示す宛先と、複合機３で入力された宛先とが一致した場合に、ＰＣ７から受信した原稿を複合機３の原稿と一緒にまとめてファクシミリ送信する。そのため、ＰＣ７からの原稿についても、まとめて一緒にファクシミリ送信してもよいか否かの判断を、容易且つ精度良く行うことができる。
【００９６】
しかも、宛先が一致した場合に、更に、ユーザに対して原稿追加の可否の意思確認が行われ、追加の意思表示があった場合に、ＰＣ７からの原稿を複合機３の原稿と一緒にまとめてファクシミリ送信するようにしている。そのため、ＰＣ７からの原稿をまとめてファクシミリ送信してもよいか否かの判断を、より高い精度で行うことができる。
【００９７】
また、複合機３は、外部通信端末からの原稿を自身で読み取った原稿に追加する際、外部通信端末からの原稿の内容に基づいて、自身の原稿の前に挿入すべきかそれとも後ろに挿入すべきかを判断するようにしている。そのため、両原稿を適切に組み合わせて１つの送信用画像データを生成することができる。
【００９８】
なお、本実施形態において、無線ＬＡＮ通信部１７は本発明の通信部の一例に相当し、ＮＦＣ通信部１８は本発明の近距離無線通信部の一例に相当し、通信回線接続部１９は本発明の画像データ送信部の一例に相当し、スキャナ部２１は本発明の画像読取部の一例に相当し、ＣＰＵ１１は本発明の制御部の一例に相当する。
【００９９】
［他の実施形態］
（１）複合機３における認証処理の具体的方法は種々考えられる。ＰＣ７から原稿を送信したユーザと、複合機３で原稿を読み取らせてファクシミリ送信しようとするユーザとが同じであるかどうか、即ち、両原稿をまとめて一緒にファクシミリ送信してもよいかどうかを、適切に判断することができる限り、種々の認証方法を採用できる。
【０１００】
（２）ＰＣ７から遠距離無線通信（無線ＬＡＮ）で原稿を受信した場合に用いられる誤送信抑止のための確認方法（宛先一致確認）を、スマートフォン５から近距離無線通信（ＮＦＣ通信）で原稿を受信した場合に採用してもよい。逆に、スマートフォン５から近距離無線通信で原稿を受信した場合に用いられる誤送信抑止のための確認方法（認証処理）を、ＰＣ７から遠距離無線通信で原稿を受信した場合に採用してもよい。外部通信端末からの原稿を複合機３の原稿に追加して一緒にファクシミリ送信してもよいか否かの判断方法は、上記実施形態で説明した方法に限らず、他の様々な方法を採用することができる。
【０１０１】
（３）スマートフォン５からの原稿受信時に認証が失敗した場合、またはＰＣ７からの原稿受信時に宛先が一致しなかった場合に、それぞれどのような処理をするか（原稿追加を許可するかそれとも拒否するか、など）については、上記実施形態（特に図６の外部原稿追加意志確認処理）で示した内容以外の処理を採用してもよい。
【０１０２】
例えば、ＰＣ７からの原稿受信時に宛先が一致した場合は（Ｓ４１０：ＹＥＳ）、原稿追加を許可してＳ３５０の処理に進むようにしてもよい。また例えば、スマートフォン５からの原稿受信時に認証が成功した場合（Ｓ３４０：ＹＥＳ）、さらに、Ｓ３６０に進んで原稿の追加意志を再確認するようにしてもよい。また例えば、原稿の追加意志確認に対してユーザから何ら応答がなかった場合は（Ｓ３９０：ＹＥＳ）、外部通信端末からの原稿の追加を一律に（端末の種類に関係なく）拒否又は許可するようにしてもよい。
【０１０３】
（４）外部通信端末から受信した原稿を複合機３の原稿に対してどのように追加・挿入するかについて、図７のＳ５２０〜Ｓ５５０に示した判断・処理方法はあくまでも一例であり、他の方法を採用してもよい。例えば、外部通信端末からの原稿の内容、画像の有無、ファイルの種類、添付ファイルの有無、ファイル容量、などの様々な情報に基づいて挿入位置や方法を解析して挿入するようにしてもよい。
【０１０４】
（５）原稿の読み取り開始後、外部通信端末から原稿を受け付け可能な期間は、適宜決めることができる。例えば、読み取り開始から所定時間（一定値）経過まで受け付け可能としてもよいし、読み取り完了後所定時間が経過するまで受け付け可能としてもよい。
【０１０５】
（６）複合機３からの画像送信方法は、ファクシミリ送信に限定されるものではない。ファクシミリ送信以外の他の方法、通信規格に基づいて複合機３から画像を送信可能な構成であってもよく、その場合も本発明を適用可能である。
【０１０６】
（７）遠隔無線通信方式として、無線ＬＡＮはあくまでも一例である。有線通信方式（例えば有線ＬＡＮやＵＳＢなど）でＰＣ７から複合機３へ原稿を送信できるようにしてもよい。無線ＬＡＮの場合、ＡＰ９を介さず直接通信を行えるようにしてもよい。
【０１０７】
（８）近距離無線通信方式についても、ＮＦＣ通信はあくまでも一例である。また、スマートフォン５から複合機３へ、同じ１つの無線通信方式で（例えばＮＦＣ通信で）原稿のデータまで送信するようにしてもよい。
【０１０８】
（９）上記実施形態では、複合機３と近距離無線通信方式による無線通信を行う外部通信端末としてスマートフォン５を示したが、スマートフォン５はあくまでも一例である。複合機３は、スマートフォン５以外の他の外部通信端末からも近距離無線通信方式にて原稿を受信可能である。遠距離無線通信方式による無線通信を行う外部通信端末についても、ＰＣ７はあくまでも一例である。複合機３は、ＰＣ７以外の他の外部通信端末（例えばスマートフォン５やその他の各種通信端末）からも遠距離無線通信方式にて原稿を受信可能である。
【符号の説明】
【０１０９】
１…画像送信システム、３…複合機、３ａ…通信回線、５…スマートフォン、７…ＰＣ、１１，３１，５１…ＣＰＵ、１２，３２，５２…ＲＯＭ、１３，３３，５３…ＲＡＭ、１４…ＮＶＲＡＭ、１５，３５，５５…表示部、１６，３６，５６…入力部、１７，３７，５７…無線ＬＡＮ通信部、１８，３８…ＮＦＣ通信部、１９…通信回線接続部、２０…印刷部、２１…スキャナ部、３４…フラッシュメモリ、３９…携帯通信回線接続部、４０…メモリカードＩ／Ｆ、４１…音声入出力部、５４…ＨＤＤ、５８…有線ＬＡＮ通信部、５９…ＵＳＢＩ／Ｆ。
【図１】
2015033004.tif 000003
【図２】
2015033004.tif 000004
【図３】
2015033004.tif 000005
【図４】
2015033004.tif 000006
【図５】
2015033004.tif 000007
【図６】
2015033004.tif 000008
【図７】
2015033004.tif 000009